(57)【要約】【課題】複数の制御装置に対するアドレス設定の成否を容易に確認可能とする。【解決手段】制御装置１２の制御装置制御部４３は、設定装置１０から受信した制御信号が制御装置アドレッシング終了信号であると判断した場合、制御装置記憶部４４に予め記憶しているアドレス設定完了時の動作データを読み出して機器制御部４４に出力し、当該動作データに従って機器制御部４４が照明器具１３を制御してそうの動作状態を変化させる。故に、新アドレスの設定が成功（完了）したときに制御装置１２に制御される照明器具１３の動作状態が消灯から点灯へ切り換わり、新アドレスの設定が失敗したときには照明器具１３の動作状態が切り換わらないことにより、制御装置１２に対するアドレス設定が完了したか否か（成功／失敗）を視覚的に容易に確認することができる。【選択図】図１
2009033466.tif 000002
【特許請求の範囲】
【請求項１】
伝送路によって相互に接続され当該伝送路を介して受信する制御信号に基づいて１乃至複数の機器の運転状態を制御する複数の制御装置を備え、
複数の制御装置は、それぞれに割り当てられる固有のアドレスを記憶する記憶手段と、伝送路上に伝送される前記制御信号の宛先のアドレスが前記記憶手段に記憶している前記アドレスと一致するときに当該制御信号を受信する受信手段とを具備し、
建物の各階毎に平面上に互いに独立な行方向及び列方向から成る座標系を定義し、制御装置の配置位置を前記平面上に投影した点における行方向の値及び列方向の値を含む前記アドレスを各制御装置の記憶手段に記憶する機器制御システムにおいて、
各制御装置に対し前記伝送路を介して前記アドレスを設定する設定装置を備え、
複数の制御装置は、前記設定装置によってアドレスが設定されると制御対象の機器の動作状態を変化させることを特徴とする機器制御システム。
【請求項２】
前記機器が照明器具であって、複数の制御装置は、前記設定装置によってアドレスが設定されると制御対象の照明器具を点灯から消灯若しくは消灯から点灯に切り換えることを特徴とする請求項１記載の機器制御システム。
【請求項３】
前記機器が照明器具であって、複数の制御装置は、前記設定装置によってアドレスが設定されると制御対象の照明器具を点滅させることを特徴とする請求項１記載の機器制御システム。
【請求項４】
前記機器が照明器具であって、複数の制御装置は、前記設定装置によってアドレスが設定されると制御対象の照明器具の光出力を増減することを特徴とする請求項１記載の機器制御システム。
【請求項５】
伝送路によって相互に接続され当該伝送路を介して受信する制御信号に基づいて１乃至複数の機器の運転状態を制御する複数の制御装置を備え、
複数の制御装置は、それぞれに割り当てられる固有のアドレスを記憶する記憶手段と、伝送路上に伝送される前記制御信号の宛先のアドレスが前記記憶手段に記憶している前記アドレスと一致するときに当該制御信号を受信する受信手段とを具備し、
建物の各階毎に平面上に互いに独立な行方向及び列方向から成る座標系を定義し、制御装置の配置位置を前記平面上に投影した点における行方向の値及び列方向の値を含む前記アドレスを各制御装置の記憶手段に記憶する機器制御システムにおいて、
各制御装置に対し前記伝送路を介して前記アドレスを設定する設定装置を備え、
複数の制御装置は、前記設定装置によってアドレスが設定されると前記伝送路を介して応答信号を伝送し、
前記設定装置は、前記応答信号を受け取ると当該応答信号の送信元である制御装置へのアドレス設定が完了したことを表示する表示手段を具備することを特徴とする機器制御システム。
【請求項６】
一つの階に配置されている複数の制御装置のうちから第１の制御装置並びに第２の制御装置を指定する指定手段と、第１の制御装置並びに第２の制御装置がそれぞれ記憶手段に記憶している前記アドレスを取得するアドレス取得手段と、アドレス取得手段によって取得した前記アドレスの２つの行方向の値を上限及び下限とする行方向範囲内の値と２つの列方向の値を上限及び下限とする列方向範囲内の値とを含むアドレスを記憶手段に記憶した１乃至複数の制御装置を第１及び第２の制御装置とともに一つのグループに纏めるグルーピング手段とを具備するグルーピング装置を備えたことを特徴とする請求項１〜５の何れか１項に記載の機器制御システム。
【請求項７】
一つの階に配置されている複数の制御装置のうちから一つの制御装置と行方向及び列方向の距離を指定する指定手段と、指定された当該制御装置が記憶手段に記憶している前記アドレスを取得するアドレス取得手段と、アドレス取得手段によって取得した前記アドレスを基準に、指定された行方向の距離及び指定された列方向の距離の範囲内にあるアドレスを計算し、該範囲内にあるアドレスを記憶手段に記憶した１乃至複数の制御装置を一つのグループに纏めるグルーピング手段とを具備するグルーピング装置を備えたことを特徴とする請求項１〜５の何れか１項に記載の機器制御システム。
【発明の詳細な説明】
【技術分野】
【０００１】
本発明は、オフィスビル等のフロアに設置された複数の機器の動作状態を制御する機器制御システムに関するものである。
【背景技術】
【０００２】
この種の機器制御システムとして、例えば、伝送路によって相互に接続され当該伝送路を介して受信する制御信号に基づいて１乃至複数の機器の運転状態を制御する複数の制御装置を備え、複数の制御装置が、それぞれに割り当てられる固有のアドレスを記憶する記憶手段と、伝送路上に伝送される前記制御信号の宛先のアドレスが前記記憶手段に記憶している前記アドレスと一致するときに当該制御信号を受信する受信手段とを具備し、建物の各階毎に平面上に互いに独立な行方向及び列方向から成る座標系を定義し、制御装置の配置位置を前記平面上に投影した点における行方向の値及び列方向の値からなる前記アドレスを各制御装置の記憶手段に記憶したものがある（特許文献１参照）。
【０００３】
特許文献１に記載されている従来例では、一つの階（フロア）に配置されている複数の制御装置のアドレスが各制御装置の配置位置を反映して設定されているため、一つのフロアに配置されている複数の制御装置のアドレスを、各制御装置のアドレスを成分とする行列とみなし、行列の数学的な性質を利用することによって、行列形式のアドレスを参照するだけで各制御装置の相互の配置関係、延いては機器の相互の配置関係を把握することができる。さらに、上記従来例は各制御装置に対し前記伝送路を介して前記アドレスを設定する設定装置を備えており、当該設定装置を使用して複数の制御装置に対するアドレス設定を自動的に行うことができるようになっている。
【特許文献１】特開２００４−１７９９０７号公報
【発明の開示】
【発明が解決しようとする課題】
【０００４】
ところで、上記従来例では設定装置から伝送路を介して各制御装置にアドレスを設定する際、伝送路の断線や施工ミスあるいは制御装置の故障等が原因でアドレス設定が失敗することがある。しかしながら、個々の制御装置へのアドレス設定が完了したか否かを判断するには各制御装置に対して制御信号を送信して機器を動作させなければならず、アドレス設定の確認作業が煩わしいという問題があった。
【０００５】
本発明は上記事情に鑑みて為されたものであり、その目的は、複数の制御装置に対するアドレス設定の成否を容易に確認することができる機器制御システムを提供することにある。
【課題を解決するための手段】
【０００６】
請求項１の発明は、上記目的を達成するために、伝送路によって相互に接続され当該伝送路を介して受信する制御信号に基づいて１乃至複数の機器の運転状態を制御する複数の制御装置を備え、複数の制御装置は、それぞれに割り当てられる固有のアドレスを記憶する記憶手段と、伝送路上に伝送される前記制御信号の宛先のアドレスが前記記憶手段に記憶している前記アドレスと一致するときに当該制御信号を受信する受信手段とを具備し、建物の各階毎に平面上に互いに独立な行方向及び列方向から成る座標系を定義し、制御装置の配置位置を前記平面上に投影した点における行方向の値及び列方向の値を含む前記アドレスを各制御装置の記憶手段に記憶する機器制御システムにおいて、各制御装置に対し前記伝送路を介して前記アドレスを設定する設定装置を備え、複数の制御装置は、前記設定装置によってアドレスが設定されると制御対象の機器の動作状態を変化させることを特徴とする。
【０００７】
請求項１の発明によれば、設定装置を用いて複数の制御装置にアドレスを設定する際、アドレス設定の成否を機器の動作状態の変化によって容易に確認することができる。
【０００８】
請求項２の発明は、請求項１の発明において、前記機器が照明器具であって、複数の制御装置は、前記設定装置によってアドレスが設定されると制御対象の照明器具を点灯から消灯若しくは消灯から点灯に切り換えることを特徴とする。
【０００９】
請求項３の発明は、請求項１の発明において、前記機器が照明器具であって、複数の制御装置は、前記設定装置によってアドレスが設定されると制御対象の照明器具を点滅させることを特徴とする。
【００１０】
請求項４の発明は、請求項１の発明において、前記機器が照明器具であって、複数の制御装置は、前記設定装置によってアドレスが設定されると制御対象の照明器具の光出力を増減することを特徴とする。
【００１１】
請求項５の発明は、上記目的を達成するために、伝送路によって相互に接続され当該伝送路を介して受信する制御信号に基づいて１乃至複数の機器の運転状態を制御する複数の制御装置を備え、複数の制御装置は、それぞれに割り当てられる固有のアドレスを記憶する記憶手段と、伝送路上に伝送される前記制御信号の宛先のアドレスが前記記憶手段に記憶している前記アドレスと一致するときに当該制御信号を受信する受信手段とを具備し、建物の各階毎に平面上に互いに独立な行方向及び列方向から成る座標系を定義し、制御装置の配置位置を前記平面上に投影した点における行方向の値及び列方向の値を含む前記アドレスを各制御装置の記憶手段に記憶する機器制御システムにおいて、各制御装置に対し前記伝送路を介して前記アドレスを設定する設定装置を備え、複数の制御装置は、前記設定装置によってアドレスが設定されると前記伝送路を介して応答信号を伝送し、前記設定装置は、前記応答信号を受け取ると当該応答信号の送信元である制御装置へのアドレス設定が完了したことを表示する表示手段を具備することを特徴とする。
【００１２】
請求項５の発明によれば、設定装置を用いて複数の制御装置にアドレスを設定する際、アドレス設定の成否を設定装置が具備する表示手段に表示して容易に確認することができる。
【００１３】
請求項６の発明は、請求項１〜５の何れか１項の発明において、一つの階に配置されている複数の制御装置のうちから第１の制御装置並びに第２の制御装置を指定する指定手段と、第１の制御装置並びに第２の制御装置がそれぞれ記憶手段に記憶している前記アドレスを取得するアドレス取得手段と、アドレス取得手段によって取得した前記アドレスの２つの行方向の値を上限及び下限とする行方向範囲内の値と２つの列方向の値を上限及び下限とする列方向範囲内の値とを含むアドレスを記憶手段に記憶した１乃至複数の制御装置を第１及び第２の制御装置とともに一つのグループに纏めるグルーピング手段とを具備するグルーピング装置を備えたことを特徴とする。
【００１４】
請求項６の発明によれば、グルーピング装置を用い、複数の制御装置のうちから任意に２つの制御装置を指定するだけで複数の制御装置をグルーピングすることができる。
【００１５】
請求項７の発明は、請求項１〜５の何れか１項の発明において、一つの階に配置されている複数の制御装置のうちから一つの制御装置と行方向及び列方向の距離を指定する指定手段と、指定された当該制御装置が記憶手段に記憶している前記アドレスを取得するアドレス取得手段と、アドレス取得手段によって取得した前記アドレスを基準に、指定された行方向の距離及び指定された列方向の距離の範囲内にあるアドレスを計算し、該範囲内にあるアドレスを記憶手段に記憶した１乃至複数の制御装置を一つのグループに纏めるグルーピング手段とを具備するグルーピング装置を備えたことを特徴とする。
【００１６】
請求項７の発明によれば、グルーピング装置を用い、複数の制御装置のうちから任意に１つの制御装置を指定するとともに行方向及び列方向の距離を指定するだけで複数の制御装置をグルーピングすることができる。
【発明の効果】
【００１７】
本発明によれば、設定装置を用いて複数の制御装置にアドレスを設定する際、複数の制御装置に対するアドレス設定の成否を容易に確認することができる。
【発明を実施するための最良の形態】
【００１８】
以下、本発明の実施形態を図面を参照して詳細に説明する。
【００１９】
本実施形態の機器制御システムは、図１（ａ）に示すように設定装置１０と、複数の分岐装置１１と、複数の制御装置１２と、複数の機器１３とを備えている。設定装置１０と各分岐装置１１とは主伝送路２８によって送り接続され、各分岐装置１１で主伝送路２８から分岐された分岐伝送路２９にそれぞれ複数（図示例では６台）の制御装置１２が送り接続されている。したがって、設定装置１０、分岐装置１１及び制御装置１２は、主伝送路２８及び分岐伝送路２９を介して相互に通信可能となっている。
【００２０】
制御装置１２によって動作制御される機器１３は、オフィスビルのような建物における各階（フロア）に複数台ずつ設置される電気機器や設備機器であって、例えば、照明器具、空調機器、入退室管理装置、防犯装置、防災装置及び動力制御装置等である。制御装置１２は、設定装置１０からの制御データや他の制御装置１２からの制御データに基づいて自己が管理する機器１３を制御しており、その構成・機能の詳細については後述する。分岐装置１１は、主伝送路２８における上流と下流との接続の開閉及び主伝送路２８と分岐伝送路２９との接続の開閉を行っており、その構成・機能の詳細については後述する。なお、制御信号の伝送方向を示すために、設定装置１０側を上流と呼称し、制御装置１２の末端側を下流と呼称することとする。
【００２１】
制御装置１２の台数は、１台の制御装置１２が制御可能な機器１３の台数、現実に建物に設置される機器１３の台数、及び、機器１３の管理上の要件等から決定される。例えば、本実施形態の場合、機器１３は照明器具であり、図１（ａ）に示すＡ方向に８台、Ａ方向と直交する方向であるＢ方向に１２台の合計９６台が１フロアにマトリクス状に配置される。そして、１台の制御装置１２は、図１（ｂ）に示すように最大で４台の機器１３（１３−ａ〜１３−ｄ）を制御可能であるため、制御装置１２（１２−１〜１２−２４）は、Ａ方向に４台、Ｂ方向に６台の２４台が必要となる。また、１台の制御装置１２が制御可能な機器１３の範囲（制御エリア）Ｅ−１〜Ｅ−２４を図１（ａ）、（ｂ）に破線の正方形で示す。
【００２２】
また、分岐装置１１の台数は、複数の制御装置１２をどのような方向で伝送路を介して送り接続するかによって決定され、図１（ａ）に示すように、制御装置１２をＢ方向に纏めて送り接続する場合には、「（Ａ方向における制御装置１２の台数）−１」台となる。本実施形態の場合には、分岐装置１１（１１−１〜１１−３）は、４−１＝３台となる。そして、分岐装置１１−１と各制御装置１２−１〜１２−６とは、分岐伝送路２９−１を介して送り接続され、分岐装置１１−２と各制御装置１２−７〜１２−１２とは、分岐伝送路２９−２を介して送り接続され、分岐装置１１−３と各制御装置１２−１３〜１２−１８とは、分岐伝送路２９−３を介して送り接続され、分岐装置１１−３と各制御装置１２−１９〜１２−２４とは、主伝送路２８の下流の末端で送り接続される。
【００２３】
但し、図５に示すように制御装置１２をＡ方向に纏めて送り接続する場合には、「（Ｂ方向における制御装置１２の台数）−１」台となる。この場合には、分岐装置１１（１１−１〜１１−５）は、６−１＝５台となる。
【００２４】
次に、設定装置１０の構成を説明する。設定装置１０は、分岐装置１１及び制御装置１２に新たにアドレスを設定する機能（以下、アドレッシング機能と呼ぶ。）、制御装置１２に対して制御対象の機器１３の動作状態を指示する機能（以下、動作状態指示機能と呼ぶ。）を有し、図２に示すように、設定装置制御部２１と、入力部２２と、表示部２３と、アドレッシング情報記憶部２４と、機器制御状態情報記憶部２５と、信号変換部２６と、インターフェース部（Ｉ／Ｆ）２７とを具備している。
【００２５】
入力部２２は、例えば、キーボード、マウス及びライトペン等の入力デバイスからなり、本システムの起動指示等の各種コマンドや各種データの作業者による入力を受け付けて設定装置制御部２１に渡すものである。表示部２３は、例えばＣＲＴディスプレイ、ＬＣＤ又は有機ＥＬディスプレイ等の表示デバイスからなり、設定装置制御部２１の制御下で、入力部２２から入力されたコマンド、分岐装置１１、制御装置１２及び制御対象機器１３の動作状況等を表示するものである。
【００２６】
アドレッシング情報記憶部２４は、分岐装置１１及び制御装置１２に新たにアドレスを設定するために必要な情報、分岐装置１１相互間の関係を示す情報、制御装置１２相互間の関係を示す情報及び制御対象の機器１３相互間の関係を示す情報、設定装置制御部２１が実行するプログラム等を記憶するものであって、ＥＥＰＲＯＭやフラッシュメモリ等の書換可能な不揮発性メモリによって構成される。アドレッシング情報記憶部２４には、より具体的には例えば、施工図面データ２４１、新旧アドレス対応表データ２４２、履歴データ２４３、行番号データ２４４、列番号データ２４５、分岐装置グループデータ２４６、制御装置グループデータ２４７及び制御対象機器グループデータ２４８等が記憶される。
【００２７】
施工図面データ２４１は、建物の平面図と、機器１３、制御装置１２、分岐装置１１及び設定装置１０との配置関係を表示部２３の画面に模式的に表示するためのデータである。新旧アドレス対応表データ２４２は、旧アドレスと新アドレスとの対応関係を示すテーブルである。旧アドレスは、新アドレスが設定される前に分岐装置１１及び制御装置１２に予め割り当てられていたアドレスであり、新アドレスは、設定装置１０によって後述の手順で新たに分岐装置１１及び制御装置１２に割り当てられたアドレスである。旧アドレスは、分岐装置１１や制御装置１２を通信の際に一意に特定することができればよいので、どのような識別子を用いてもよいが、例えば、一般的にどのような装置にも予め記憶されている観点から、分岐装置１１及び制御装置１２のシリアル番号を用いる。特に、シリアル番号に分岐装置１１及び制御装置１２の機種を示す識別子を含むようにすると、旧アドレスを参照することによって、分岐装置１１及び制御装置１２の機種を判別することができる。本実施形態では、「０１Ｅ」が分岐装置１１を示し「０１Ｈ」が制御装置１２を示す識別子を先頭に含むシリアル番号を用いる。
【００２８】
履歴データ２４３は、新アドレスを設定する動作において、アドレッシングの回数（新アドレスの設定回数）を記録したデータである。行番号データ２４４は、次に新アドレスを設定する分岐装置１１又は制御装置１２の行番号を記録したデータである。列番号データ２４５は、次に新アドレスを設定する分岐装置１１又は制御装置１２の列番号を記録したデータである。
【００２９】
分岐装置グループデータ２４６は、或る制御を行う場合に同等に扱うべき分岐装置１１の集合を定義するデータである。制御装置グループデータ２４７は、或る制御を行う場合に同等に扱うべき制御装置１２の集合を定義するデータである。制御対象機器グループデータ２４８は、或る制御を行う場合に同等に扱うべき機器１３の集合を定義するデータである。
【００３０】
機器制御状態情報記憶部２５は、書換可能な不揮発性メモリによって構成され、機器１３の制御状態（動作状態）を示す情報を記憶する。機器制御状態情報記憶部２５には、より具体的には例えば、オンオフ状態データ２５１、制御パターンデータ２５２及び制御スケジュールデータ２５３等が記憶される。
【００３１】
オンオフ状態データ２５１は、各機器１３におけるオンオフの現状を示すデータであり、制御パターンデータ２５２は、操作入力に応じて機器１３の出力レベルを定義する制御パターンのデータであり、例えば機器１３が照明器具である場合には照明器具の点滅順序や調光率等を規定するためのデータである。制御スケジュールデータ２５３は、機器１３のオンオフや制御パターンデータ２５２で定義された制御パターンの中で何れの制御パターンを行うべきかを、現実の時刻や或る基準時からの経過時間に対応付けたデータである。
【００３２】
信号変換部２６は、設定装置制御部２１からの内部信号を機器制御システム内の通信に適合した信号フォーマットに変換するとともに、Ｉ／Ｆ２７からの外部制御信号を設定装置制御部２１が解釈可能な信号フォーマットに変換する。Ｉ／Ｆ２７は、信号変換部２６の信号波形を主伝送路２８に適する信号波形に整形したり、受信した信号波形を信号変換部２６に適する信号波形に整形する回路であり、主伝送路２８の結線用接続端子（コネクタ端子）やインピーダンス整合を取るためのインピーダンス値調整回路等も備える。Ｉ／Ｆ２７は、主伝送路２８に接続される。
【００３３】
設定装置制御部２１は、例えばマイクロプロセッサ（ＭＰＵ）等を備えて構成され、入力部２２、表示部２３、アドレッシング情報記憶部２４、機器制御状態情報記憶部２５及び信号変換部２６と接続され、これら各部をプログラムに基づいて後述のように制御する。
【００３４】
なお、アドレッシング情報記憶部２４と機器制御状態情報記憶部２５とは、低コスト化や小型化の観点から、個別部品でも１個のメモリに纏めてもよく、更に、設定装置制御部２１や信号変換部２６と纏めてチップ化しても良い。
【００３５】
次に、分岐装置１１の構成について説明する。分岐装置１１は、図３に示すようにインタフェース部（Ｉ／Ｆ）３１と、信号変換部３２と、分岐装置制御部３３と、分岐装置記憶部３４と、接点開閉部３５−１、３５−２と、スイッチ３６−１、３６−２とを具備している。
【００３６】
スイッチ３６−１は接点開閉部３５−１によって駆動され、主伝送路２８と分岐伝送路２９との間における接続の開閉を行うものである。接点開閉部３５−１は、分岐装置制御部３３の制御に基づいてスイッチ３６−１を駆動する。スイッチ３６−１が閉じることによって主伝送路２８と分岐伝送路２９とが接続され、主伝送路２８と分岐伝送路２９との間において相互に信号伝送が可能となる。
【００３７】
スイッチ３６−２は接点開閉部３５−２によって駆動され、分岐装置１１に対する上流と下流との間における主伝送路２８の接続の開閉を行うものである。接点開閉部３５−２は、分岐装置制御部３３の制御に基づいてスイッチ３６−２を駆動する。スイッチ３６−２が閉じることによって主伝送路２８における分岐装置１１に対する上流と下流とが接続され、分岐装置１１に対する上流と下流との間において相互に信号伝送が可能となる。スイッチ３６は、後述のスイッチ４６と同様に、例えば、有接点リレーや無接点リレー（半導体リレー）等によって構成され、特に、停電時にもそれ以前の接続状態を保持することができる観点からラッチングリレーが好適である。なお、本実施形態では、接点開閉部３５−１及びスイッチ３６−１によって主伝送路２８と分岐伝送路２９との間における接続の開閉を行い、接点開閉部３５−２及びスイッチ３６−２によって分岐装置１１に対する上流と下流との間における主伝送路２８の接続の開閉を行うように構成したが、マイクロコンピュータのポートを用い、このポートをアクティブ状態又はスリープ状態とすることによって制御信号を下流に伝送するか否かを行うように構成としてもよい。
【００３８】
Ｉ／Ｆ３１は、信号変換部３２の信号波形を主伝送路２８に適する信号波形に整形したり、受信した信号波形を信号変換部３２に適する信号波形に整形する回路であって、上流側の主伝送路２８に接続される。
【００３９】
信号変換部３２は、分岐装置制御部３３からの内部信号を機器制御システム内の通信に適合した信号フォーマットに変換すると共に、Ｉ／Ｆ３１からの外部制御信号を分岐装置制御部３３が解釈可能な信号フォーマットに変換する。
【００４０】
分岐装置記憶部３４は、旧アドレスデータ３４１、新アドレスデータ３４２及び分岐装置制御部３３が実行するプログラム等を記憶する。旧アドレスデータ３４１には、分岐装置１１の旧アドレスが予め記憶される。新アドレスデータ３４２は、新アドレスを記憶するための記憶領域であり、後述の手順によって新アドレスが割り振られ格納される。分岐装置制御部３３は、例えばマイクロプロセッサ等を備えて構成され、信号変換部３２、分岐装置記憶部３４及び接点開閉部３５−１、３５−２と接続され、これら各部をプログラムに基づいて後述のように制御する。
【００４１】
次に、制御装置１２について説明する。制御装置１２は、図４に示すようにインタフェース部（Ｉ／Ｆ）４１と、信号変換部４２と、制御装置制御部４３と、制御装置記憶部４４と、接点開閉部４５と、スイッチ４６と、機器制御部４７とを具備している。
【００４２】
スイッチ４６は接点開閉部４５によって駆動され、制御装置１２に対する上流と下流との間における伝送路２８、２９の接続の開閉を行うものである。ここで、制御装置１２は、主に分岐伝送路２９上に接続されるが、図１（ａ）に示すように、最下流の分岐装置１１−３より更に下流側では分岐伝送路２９−３上に接続されるだけでなく、主伝送路２８上にも接続される。接点開閉部４５は、制御装置制御部４３の制御に基づいてスイッチ４６の開閉を行う。スイッチ４６が閉じることによって分岐伝送路２９における制御装置１２に対する上流と下流とが接続され、制御装置１２に対する上流と下流との間において相互に信号伝送が可能となる。
【００４３】
Ｉ／Ｆ４１は、信号変換部４２の信号波形を分岐伝送路２９に適する信号波形に整形したり、受信した信号波形を信号変換部４２に適する信号波形に整形する回路であって、上流側の分岐伝送路２９に接続される。
【００４４】
信号変換部４２は、制御装置制御部４３からの内部信号を機器制御システム内の通信に適合した信号フォーマットに変換すると共に、Ｉ／Ｆ４１からの外部制御信号を制御装置制御部４３が解釈可能な信号フォーマットに変換する。制御装置制御部４３は、例えばマイクロプロセッサ等を備えて構成され、信号変換部４２、制御装置記憶部４４、接点開閉部４５及び機器制御部４７と接続され、これら各部をプログラムに基づいて後述のように制御する。
【００４５】
制御装置記憶部４４は、旧アドレスデータ４４１、新アドレスデータ４４２及び制御装置制御部４３が実行するプログラム等を記憶する。旧アドレスデータ４４１には、制御装置１２の旧アドレスが予め記憶される。新アドレスデータ４４２は、新アドレスを記憶するための記憶領域であり、後述の手順によって新アドレスが割り振られ格納される。さらに、制御装置記憶部４４には後述するアドレス設定完了時の動作データも記憶される。制御装置制御部４３は、例えばマイクロプロセッサ等を備えて構成され、信号変換部４２、分岐装置記憶部４４、接点開閉部４５及び機器制御部４７と接続され、これら各部をプログラムに基づいて後述のように制御する。
【００４６】
機器制御部４７は、例えばマイクロプロセッサ等を備えて構成され、設定装置１０から送信された制御信号に収容される制御データに基づいて制御対象の機器１３の動作状態を制御する。制御データは、制御装置制御部４３によって制御信号から取り出され、機器制御部４７に転送される。但し、機器制御部４７を制御装置制御部４４と同一のマイクロプロセッサで構成することようにしても構わない。
【００４７】
なお、設定装置１０から分岐装置１１及び制御装置１２へ電力を供給可能とする観点から、設定装置１０に供給電力重畳部を設け、供給電力重畳部が、信号変換部２６からＩ／Ｆ２７への出力信号と電力とを重畳可能な電力波形を信号変換部２６に出力させてもよい。この場合には、これに対応させて、分岐装置１１及び制御装置１２に供給電力分離部を設け、供給電力分離部が、Ｉ／Ｆ２７の出力から制御信号と電力とを分離し、制御信号を分岐装置制御部３３及び制御装置制御部４３に出力すると共に、電力を必要とする各部に電力を供給すればよい。このように制御信号に電力を重畳することによって、電源供給の困難な場所にも分岐装置１１や制御装置１２を配置することができる。
【００４８】
次に、本実施形態における分岐装置１１及び制御装置１２へのアドレッシングについて説明する。
【００４９】
図６乃至図９は、新アドレスを設定する動作（アドレッシング）を示すフローチャートである。図１０は、アドレッシング情報記憶部における新旧アドレス対応表データを示す図である。図１０（ａ）は、記憶領域を確保した時点の状態を示し、図１０（ｂ）は、アドレッシングが完了した時点の状態を示す。
【００５０】
まず、作業者は、入力部２２から施工図面を表示部２３に表示させる指示を入力する。設定装置１０の設定装置制御部２１は、アドレッシング情報記憶部２４に記憶されている施工図面データ２４１を読み出し、施工図面を表示部２３に表示する。表示部２３には、例えば、図１（ａ）に示すような、建物の平面図と、機器１３、制御装置１２、分岐装置１１及び設定装置１０との配置関係を模式的に表示した画面が表示される。
【００５１】
このように表示部２３に表示された施工図面は、機器１３、制御装置１２、分岐装置１１及び設定装置１０との配置位置を投影した平面図であり、作業者は、施工図面上に互いに独立な行方向及び列方向から成る座標系を定義する。本実施形態では、図１（ａ）に示すように、行方向を一方向に伸びるＡ方向に、列方向をこの一方向とは異なる他方向に伸びるＢ方向に設定した。
【００５２】
そして、分岐装置１１と制御装置１２との配置位置関係に基づいて新旧アドレス対応表を記憶する記憶領域をアドレッシング情報記憶部２４に確保する。
【００５３】
例えば、本実施形態では、作業者は、表示部２３の施工図面を参照して、分岐装置１１の台数と、上流側の分岐装置１１から順に各分岐装置１１に送り接続される制御装置１２の台数と、各分岐装置１１が同一列番号方向に接続されるか同一行番号方向に接続されるかの別とを入力部２２から設定装置１０に入力する。
【００５４】
例えば、図１（ａ）に示す施工図面の場合には、作業者は、分岐装置１１の台数として「３」を入力し、最も上流である第１番目の分岐装置１１−１に接続される制御装置１２の台数として「６」を入力し、次に上流である第２番目の分岐装置１１−２に接続される制御装置１２の台数として「６」を入力し、次に上流である第３番目の分岐装置１１−３に接続される制御装置１２の台数を入力する。この場合では、分岐装置１１の台数として「３」が入力されたため、これが最下流の最後の分岐装置１１であるから、分岐伝送路２９−３に接続される制御装置１２の台数と主伝送路２８に接続される制御装置１２の台数とが入力される。このため、作業者は、前者の台数として「６」を入力し、後者の台数として「６」を入力する。更に、各分岐装置１１−１〜１１−３は、同一列番号方向に並ぶことを入力部２２より入力する。なお、図５に示す施工図面の場合には、各分岐装置１１−１〜１１−５は、同一行番号方向に並ぶことを入力部２２より入力する。
【００５５】
このように入力されると、設定装置制御部２１は、アドレッシング情報記憶部２４に新旧アドレス対応表データ２４２の記憶領域を確保する。即ち、図１０（ａ）に示すように、まず、所定のメモリアドレスａに第１番目の分岐装置１１−１の旧アドレス、機種、新アドレスの行番号及び新アドレスの列番号を記憶する記憶領域を確保する。次に、この確保した記憶領域に続けて、第１番目の分岐装置１１−１の分岐伝送路２９−１上に接続される各制御装置１２−１〜１２−６に対し、旧アドレス、機種、新アドレスの行番号及び新アドレスの列番号を記憶する記憶領域を上流側から順に確保する。次に、この確保した記憶領域に続けて、第２番目の分岐装置１１−２の旧アドレス、機種、新アドレスの行番号及び新アドレスの列番号を記憶する記憶領域を確保する。次に、この確保した記憶領域に続けて、第２番目の分岐装置１１−２の分岐伝送路２９−２上に接続される各制御装置１２−７〜１２−１２に対し、旧アドレス、機種、新アドレスの行番号及び新アドレスの列番号を記憶する記憶領域を上流から順に確保する。次に、この確保した記憶領域に続けて、第３番目の分岐装置１１−３の旧アドレス、機種、新アドレスの行番号及び新アドレスの列番号を記憶する記憶領域を確保する。次に、この確保した記憶領域に続けて、第３番目の分岐装置１１−３の分岐伝送路２９−３上に接続される各制御装置１２−１３〜１２−１８に対し、旧アドレス、機種、新アドレスの行番号及び新アドレスの列番号を記憶する記憶領域を上流から順に確保する。そして、第３番目の分岐装置１１−３が主伝送路２８に接続される最下流の分岐装置１１であるから、次に、この確保した記憶領域に続けて、第３番目の分岐装置１１−３の下流であって主伝送路２８上に接続される制御装置１２−１９〜１２−２４に対し、旧アドレス、機種、新アドレスの行番号及び新アドレスの列番号を記憶する記憶領域を上流から順に確保する。また、例えば、表示部２３に表示された施工図面にアイコンで表示された分岐装置１１又は制御装置１２をマウス等で指定することによって、分岐装置１１と制御装置１２との配置位置関係に基づいて新旧アドレス対応表を記憶する記憶領域をアドレッシング情報記憶部２４に確保するように構成してもよい。
【００５６】
このように主伝送路２８に接続される分岐装置１１用の記憶領域の確保と、この分岐装置１１からの分岐伝送路２９に接続される制御装置１２用の記憶領域の確保とを最下流の分岐装置１１まで繰り返し、最後に主伝送路２８上に接続される制御装置１２用の記憶領域の確保を行うことによって、設定装置制御部２１は、アドレッシング情報記憶部２４に新旧アドレス対応表データ２４２の記憶領域を確保する。
【００５７】
そして、各分岐装置１１の並び方向に従って行番号データ２４４及び列番号データ２４５の初期値を設定する。即ち、各分岐装置１１の並び方向が同一列番号方向である場合には、行番号データ２４４を「１」（２桁の場合には０１と、３桁の場合には００１となる。桁数は機器１３の台数等によって決まる。）に設定し、列番号データ２４５を「０」（２桁の場合には００と、３桁の場合には０００となる。）に設定する。各分岐装置１１の並び方向が同一行番号方向である場合には、行番号データ２４４を「０」に設定し、列番号データ２４５を「１」に設定する。このように行番号データ２４４及び列番号データ２４５の初期値を各分岐装置１１の並び方向に従って設定することによって、後述するように分岐装置１１の新アドレスは、列番号及び行番号の何れかが「０」となり、アドレスの使用頻度の高い制御装置１２に「１」から始まる列番号及び行番号を割り振ることができ、後述するグルーピングが簡易な計算で実行することができる。
【００５８】
設定装置制御部２１は、新旧アドレス対応表データ２４２の記憶領域を確保すると、その旨を表示部２３に表示する。作業者は、この表示を参照して、新アドレスを設定する指示を入力部２２に入力する。
【００５９】
図６乃至図９において、設定装置制御部２１は、この指示を受けると分岐装置１１及び制御装置１２のアドレス値を初期化する旨の情報を含む制御信号（初期化信号）を主伝送路２８に送出する（Ｓ１１−Ｓ）。
【００６０】
初期化信号を受信した分岐装置１１の分岐装置制御部３３は、下流に初期化信号が送信されたことを確認した後に、スイッチ３６−１を開くことによって主伝送路２８と分岐伝送路２９との信号伝送を遮断すると共に、スイッチ３６−２を開くことによって主伝送路２８における上流と下流との信号伝送を遮断する。さらに、分岐装置制御部３３は、分岐装置記憶部３４の新アドレスデータ３４２をクリアする（Ｓ１２−Ｄ）。下流に初期化信号が送信されたことの確認は、例えば、スイッチ３６−１、３６−２の開閉状態を参照することによって行い、スイッチ３６−１、３６−２が開の場合には、スイッチ３６−１、３６−２を閉にした後に分岐装置制御部３３が初期化信号を再生して信号変換部３２及びＩ／Ｆ３１を介して主伝送路２８に送出し、一定時間後にスイッチ３６−１、３６−２を開にすればよい。
【００６１】
一方、初期化信号を受信した制御装置１２の制御装置制御部４３は、下流に初期化信号が送信されたことを確認した後に、スイッチ４６を開くことによって分岐伝送路２９（主伝送路２８に接続される制御装置１２の場合には主伝送路２８）における上流と下流との通信を遮断する。さらに、制御装置制御部４３は、制御装置記憶部４４の新アドレスデータ４４２をクリアする（Ｓ１２−Ｃ）。下流に初期化信号が送信されたことの確認は、例えば、スイッチ４６の開閉状態を参照することによって行い、スイッチ４６が開の場合には、スイッチ４６を閉にした後に制御装置制御部４３が初期化信号を再生して信号変換部４２及びＩ／Ｆ４１を介して分岐伝送路２９（主伝送路２８に接続される制御装置１２の場合には主伝送路２８）に送出し、一定時間後にスイッチ４６を開にすればよい。
【００６２】
なお、施工直後において、分岐装置１１のスイッチ３６−１、３６−２及び制御装置１２のスイッチ４６が「開」であって、分岐装置記憶部３４の新アドレスデータ３４２及び制御装置記憶部４４の新アドレスデータ４４２がクリアであることが確実な場合には、この初期化を省略してもよい。
【００６３】
次に、一定時間経過後に、設定装置制御部２１は、新アドレスを設定するアドレッシングモードである旨の情報を含む制御信号（アドレッシング信号）を主伝送路２８に送信すると共に、履歴データ２４３を１つインクリメントすることによって、第１回目のアドレッシングであることを履歴データ２４３に記憶する（Ｓ１３−Ｓ）。
【００６４】
初期化することによって、各分岐装置１１−１〜１１−３のスイッチ３６−１、３６−２及び各制御装置１２−１〜１２−２４のスイッチ４６は、全て「開」であるので、設定装置１０と最上流である第１番目の分岐装置１１−１との間でのみ通信が可能であるから、この制御信号は、第１番目の分岐装置１１−１のみに受信される。
【００６５】
この制御信号を受信した第１番目の分岐装置１１−１における分岐装置制御部３３は、受信した制御信号からアドレッシングモードである旨の情報を解釈することによって、この制御信号がアドレッシング信号であると判断する。アドレッシング信号であると判断すると、分岐装置制御部３３は、分岐装置記憶部３４の旧アドレスデータ３４１を読み出し、旧アドレスの情報を含む制御信号（旧アドレス信号）を主伝送路２８に送出する（Ｓ１４−Ｄ）。この場合には、上述したように設定装置１０と最上流である第１番目の分岐装置１１−１との間でのみ通信が可能であるから、旧アドレス信号に送信先のアドレスを指定する必要がないが、後述するように第２番目以降の分岐装置１１や制御装置１２をアドレッシングする場合には、設定装置１０とアドレッシングの対象となっている分岐装置１１並びに制御装置１２との間で確実に通信を確立する観点から、履歴データ（アドレッシングの回数を示すデータ）の情報を各制御信号に含める。
【００６６】
なお、アドレッシング信号であると判断した場合には、さらに、自己宛てのアドレッシング信号であるか否かを判断してから、自己宛てのアドレッシング信号である場合に旧アドレス信号を主伝送路２８に送出するように構成してもよい。このように構成することによって、主伝送路２８や分岐伝送路２９のトラフィック量を低減することができ、制御信号の衝突も避けやすくなり、更に、設定装置制御部２１の処理量も低減することができる。この自己宛てのアドレッシング信号であるか否かの判断は、例えば、次のように行う。まず、分岐装置制御部３３は、分岐装置記憶部３４の新アドレスデータ３４２に行列形式のアドレス（行番号データと列番号データの組合せからなるアドレス）が格納されているか否かを判断する。そして、分岐装置制御部３３は、行列形式のアドレスが格納されている場合には、受信した制御信号が自己宛てのアドレッシング信号ではないと判断し、この受信信号を破棄する。一方、分岐装置制御部３３は、行列形式のアドレスが格納されていない場合には、受信した制御信号が自己宛てのアドレッシング信号であると判断する。
【００６７】
設定装置制御部２１は、この制御信号を受信すると、第１回目のアドレッシング信号に対する旧アドレス信号であると判断して、受信した制御信号から旧アドレスの情報を取り出し、アドレッシング情報記憶部２４の新旧アドレス対応表データ２４２における最初の記憶領域、即ち、メモリアドレスａの記憶領域に旧アドレス、機種、新アドレスの行番号及び新アドレスの列番号を格納する（Ｓ１５−Ｓ）。ここで、機種は、上述の場合では、旧アドレスの先頭における識別子より判別する。新アドレスの行番号は、行番号データ２４４の値を割り振り、新アドレスの列番号は、列番号データ２４５の値を割り振る。なお、受信した制御信号が旧アドレス信号であるとの判断は、制御信号の受信の順番によって行う。以下も同様に、受信した制御信号の種別は、制御信号の受信の順番によって行う。
【００６８】
新アドレスを設定すると、設定装置制御部２１は、この新アドレスの情報を含む制御信号（新アドレス信号）を主伝送路２８に送出する（Ｓ１６−Ｓ）。
【００６９】
分岐装置１１−１の分岐装置制御部３３は、この制御信号を受信すると、旧アドレス信号に対する新アドレス信号であると判断して、受信した制御信号から新アドレスの情報を取り出し、分岐装置記憶部３４の新アドレスデータ３４２に新アドレスの行番号及び新アドレスの列番号を格納する（Ｓ１７−Ｄ）。ここで、分岐装置制御部３３が確実に新アドレス信号であることを認識させるために、新アドレス信号に新アドレス信号である旨の情報、例えば、旧アドレスの情報を含むようにしてもよい。
【００７０】
次に、分岐装置１１−１の分岐装置制御部３３は、新アドレス信号を受信し、新アドレスを新アドレスデータ３４２に格納した旨の情報、例えば受信した新アドレスを含む制御信号（新アドレス格納信号）を主伝送路２８に送出する（Ｓ１８−Ｄ）。
【００７１】
設定装置制御部２１は、この制御信号を受信すると、新アドレス信号に対する新アドレス格納信号であると判断して、受信した制御信号から新アドレスの情報を取り出し、受信した制御信号からの新アドレスと、アドレッシング情報記憶部２４の新旧アドレス対応表データ２４２に格納した新アドレスとを比較する（Ｓ１９−Ｓ）。
【００７２】
比較の結果、設定装置制御部２１は、不一致の場合（Ｎｏ）には第１回目の分岐装置１１−１のアドレッシングに失敗したと判断し、アドレッシングの失敗を表示部２３に表示して作業者に知らせた後、第１回目のアドレッシングを再度行う旨の情報を含む制御信号（再設定モード信号）を主伝送路２８に送出する。すなわち、本実施形態では新アドレス信号が応答信号に相当する。一方、設定装置制御部２１は、一致する場合（Ｙｅｓ）には第１回目の分岐装置１１−１のアドレッシングに成功したと判断し、アドレッシングの成功を表示部２３に表示して作業者に知らせた後、分岐装置１１−１のアドレッシングを終了する旨の情報を含む制御信号（分岐装置アドレッシング終了信号）を主伝送路２８に送出する（Ｓ２０−Ｓ）。
【００７３】
分岐装置１１−１の分岐装置制御部３３は、この制御信号を受信すると、分岐装置アドレッシング終了信号であるか再設定モード信号であるかを判断する。分岐装置１１−１の分岐装置制御部３３は、この制御信号が分岐装置アドレッシング終了信号であると判断した場合には、自機に接続される分岐伝送路２９−１に接続される制御装置１２−１〜１２−６の新アドレスを設定すべく、スイッチ３６−１を「閉」にする。一方、分岐装置１１−１の分岐装置制御部３３は、この制御信号が再設定モード信号であると判断した場合には、再度新アドレスの設定を行うべく、処理Ｓ１４−Ｄ乃至処理Ｓ１９−Ｓを実行する（Ｓ２１−Ｄ）。
【００７４】
スイッチ３６−１を「閉」にすると、分岐装置１１−１の分岐装置制御部３３は、主伝送路２８と分岐伝送路２９−１とを通信可能にした旨の情報を含む制御信号（分岐伝送路通信可能信号）を主伝送路２８に送出する（Ｓ２２−Ｄ）。
【００７５】
設定装置制御部２１は、この制御信号を受信すると、受信した制御信号が分岐伝送路通信可能信号であると判断し、主伝送路２８と分岐伝送路２９−１とが通信可能に接続され、制御装置１２のアドレッシングが可能となったと判断する。そして、各分岐装置１１の並び方向に従って行番号データ２４４の値又は列番号データ２４５の値の何れかを１つインクリメントする。即ち、各分岐装置１１の並び方向が同一列番号方向である場合には、列番号データ２４５を１つインクリメントし、各分岐装置１１の並び方向が同一行番号方向である場合には、行番号データ２４４を１つインクリメントする（Ｓ２３−Ｓ）。
【００７６】
このように動作することによって、分岐装置１１−１に行列形式の新アドレス（０１００）が割り振られ、設定装置１０のアドレッシング情報記憶部２４における新旧アドレス対応表データ２４２及び分岐装置１１−１の分岐装置記憶部３４における新アドレス３４２に行列形式の新アドレス（０１００）が格納される。
【００７７】
次に、設定装置制御部２１は、第２回目の制御装置１２−１のアドレッシングを行うべく、履歴データ２４３を１つインクリメントすることによって、第２回目のアドレッシングであることを履歴データ２４３に記憶すると共に（Ｓ２４−Ｓ）、新アドレスを設定するアドレッシングモードである旨の情報を含む制御信号（アドレッシング信号）を主伝送路２８に送出する（Ｓ２５−Ｓ）。
【００７８】
この制御信号を受信した第１番目の制御装置１２−１における制御装置制御部４３は、受信した制御信号からアドレッシングモードである旨の情報を解釈することによって、この制御信号がアドレッシング信号であると判断する。アドレッシング信号であると判断すると、制御装置制御部４３は、制御装置記憶部４４の旧アドレスデータ４４１を読み出し、旧アドレスの情報を含む制御信号（旧アドレス信号）を分岐伝送路２９に送出する（Ｓ２６−Ｃ）。
【００７９】
ここで、上述から分かるように、設定装置１０と最上流である第１番目の分岐装置１１−１及びこれに接続される制御装置１２−１との間でのみ通信が可能であるから、この制御信号は、第１番目の分岐装置１１−１及び制御装置１２−１のみに受信される。この制御信号を受信した第１番目の分岐装置１１−１における分岐装置制御部３３は、上述したように自己宛てであるか否かを判断する場合にはこの制御信号を破棄するが、自己宛てであるか否かを判断しない場合には、当該分岐装置１１−１は、処理Ｓ１４−Ｄで説明したように旧アドレス信号を主伝送路２８に送出してしまう。しかしながら、設定装置制御部２１は、受信した旧アドレス信号に収容されていた旧アドレスが新旧アドレス対応表データ２４２に格納されているか否かを判断することによって、受信した旧アドレス信号を送信した分岐装置１１のアドレッシングが終了しているか否かを判断することができる。そして、第３回目以降のアドレッシングを行う場合には、アドレッシングが終了した制御装置１２に同様の事態が生じるが、制御装置１２−１の制御装置制御部４３が自己宛てであるか否かを判断するか、又は、設定装置制御部２１が旧アドレスの照会を行うことによって対応可能である。
【００８０】
設定装置制御部２１は、この制御信号を受信すると、第２回目のアドレッシング信号に対する旧アドレス信号であると判断して、受信した制御信号から旧アドレスの情報を取り出し、アドレッシング情報記憶部２４の新旧アドレス対応表データ２４２における次の記憶領域、即ち、メモリアドレスｂの記憶領域に旧アドレス、機種、新アドレスの行番号及び新アドレスの列番号を格納する（Ｓ２７−Ｓ）。ここで、第２回目のアドレッシング信号に対する旧アドレス信号であるか否かの判断は、例えば、受信した制御信号の順番によって行う。また例えば、履歴データの情報を制御信号に含む場合にはこれを参照することによって行う。また例えば、受信した制御信号の旧アドレスの情報と、アドレッシング情報記憶部２４の新旧アドレス対応表データ２４２に格納されている旧アドレスの情報とを比較することによって、両者が一致する旧アドレスの情報がないことを判断することによって行う。
【００８１】
新アドレスを設定すると、設定装置制御部２１は、この新アドレスの情報を含む制御信号（新アドレス信号）を主伝送路２８に送出する（Ｓ２８−Ｓ）。
【００８２】
制御装置１２−１の制御装置制御部４３は、この制御信号を受信すると、旧アドレス信号に対する新アドレス信号であると判断して、受信した制御信号から新アドレスの情報を取り出し、制御装置記憶部４４の新アドレスデータ４４２に新アドレスの行番号及び新アドレスの列番号を格納する（Ｓ２９−Ｃ）。
【００８３】
次に、制御装置１２−１の制御装置制御部４３は、新アドレス信号を受信し、新アドレスを新アドレスデータ４４２に格納した旨の情報、例えば受信した新アドレスを含む制御信号（新アドレス格納信号）を分岐主伝送路２９−１に送出する（Ｓ３０−Ｃ）。
【００８４】
設定装置制御部２１は、この制御信号を受信すると、新アドレス信号に対する新アドレス格納信号であると判断して、受信した制御信号から新アドレスの情報を取り出し、受信した制御信号からの新アドレスと、アドレッシング情報記憶部２４の新旧アドレス対応表データ２４２に格納した新アドレスとを比較する（Ｓ３１−Ｓ）。
【００８５】
比較の結果、設定装置制御部２１は、不一致の場合（Ｎｏ）には第２回目の制御装置１２−１のアドレッシングに失敗したと判断し、アドレッシングの失敗を表示部２３に表示して作業者に知らせた後、第２回目のアドレッシングを再度行う旨の情報を含む制御信号（再設定モード信号）を主伝送路２８に送出する。一方、設定装置制御部２１は、一致する場合（Ｙｅｓ）には第２回目の制御装置１２−１のアドレッシングに成功したと判断し、アドレッシングの成功を表示部２３に表示して作業者に知らせた後、制御装置１２−１のアドレッシングを終了する旨の情報を含む制御信号（制御装置アドレッシング終了信号）を主伝送路２８に送出する（Ｓ３２−Ｓ）。
【００８６】
制御装置１２−１の制御装置制御部４３は、この制御信号を受信すると、制御装置アドレッシング終了信号であるか再設定モード信号であるかを判断する。制御装置１２−１の制御装置制御部４３は、この制御信号が制御装置アドレッシング終了信号であると判断した場合には、制御装置記憶部４４に予め記憶しているアドレス設定完了時の動作データを読み出して機器制御部４４に出力するとともに、自機の下流に接続される制御装置１２−２〜１２−６の新アドレスを設定すべく、スイッチ４６を「閉」にする。そして、機器制御部４４が前記動作データに従って照明器具１３を制御してその動作状態を変化させる、例えば、消灯している照明器具１３を点灯させる（Ｓ３３−Ｃ）。一方、制御装置１２−１の制御装置制御部４３は、この制御信号が再設定モード信号であると判断した場合には、機器制御部４４に対して照明器具１３の動作状態を変化させるための動作データを出力せず、再度新アドレスの設定を行うべく、処理Ｓ２５−Ｃ乃至処理Ｓ３１−Ｓを実行する。このように新アドレスの設定が成功（完了）したときに制御装置１２に制御される照明器具１３の動作状態が消灯から点灯へ切り換わり、新アドレスの設定が失敗したときには照明器具１３の動作状態が切り換わらないことにより、制御装置１２に対するアドレス設定が完了したか否か（成功／失敗）を視覚的に容易に確認することができる。但し、アドレス設定時における照明器具１３の動作状態変化は、消灯から点灯への切換に限るものではなく、点灯から消灯への切換、短時間の点滅、短時間の調光率変化、あるいは１００％未満の調光率（例えば、３０％）から１００％への調光率変化等であっても構わないが、確認のしやすさという観点からは点灯から消灯若しくは消灯から点灯への切換が望ましい。
【００８７】
スイッチ４６を「閉」にすると、制御装置１２−１の制御装置制御部４３は、下流に更に制御装置１２が分岐伝送路２９−１に接続されているか否かを判断する（Ｓ３４−Ｃ）。この判断は、例えば、分岐伝送路２９−１の下流側のインピーダンス値により判断したり、受信時にリターンを返す旨の情報を含むリターン信号を分岐伝送路２９に送出し、下流からのリターン信号の有無によって判断すればよい。そして、制御装置１２−１の制御装置制御部４３は、分岐伝送路２９−１における上流と下流とを通信可能にした旨の情報と、下流に制御装置１２が接続されていない場合にはこの分岐伝送路２９−１の制御装置１２に対するアドレッシングが終了した旨の情報とを含む制御信号（上下流通信可能信号）を分岐伝送路２９−１に送出する（Ｓ３５−Ｃ）。
【００８８】
設定装置制御部２１は、この制御信号を受信すると、受信した制御信号が上下流通信可能信号であると判断し、上下流通信可能信号に当該分岐伝送路２９の制御装置に対するアドレッシングが終了した旨の情報が含まれるか否かを判断する（Ｓ３６−Ｓ）。
【００８９】
判断の結果、設定装置制御部２１は、当該分岐伝送路２９の制御装置に対するアドレッシングが終了した旨の情報が含まれていない場合（Ｎｏ）には、更に下流の制御装置１２に対してアドレッシングを行うべく、処理を処理Ｓ２３−Ｓに戻す。つまり、設定装置制御部２１は、分岐伝送路２９における上流と下流とが送り接続され、下流の制御装置１２のアドレッシングが可能となったと判断する。そして、各分岐装置１１の並び方向に従って行番号データ２４４の値又は列番号データ２４５の値の何れかを１つインクリメントする。即ち、各分岐装置１１の並び方向が同一列番号方向である場合には、列番号データ２４５を１つインクリメントし、各分岐装置１１の並び方向が同一行番号方向である場合には、行番号データ２４４を１つインクリメントする（Ｓ２３’−Ｓ）。
【００９０】
このように動作することによって、制御装置１２−１に行列形式の新アドレス（０１０１）が割り振られ、設定装置１０のアドレッシング情報記憶部２４における新旧アドレス対応表データ２４２及び制御装置１２−１の制御装置記憶部４４における新アドレス４４２に行列形式の新アドレス（０１０１）が格納される。そして、当該分岐伝送路２９の下流に制御装置１２が接続されている場合には、処理Ｓ２３−Ｓ乃至処理Ｓ３５−Ｃを繰り返すことによって、これら下流の制御装置１２にも順次に行列形式の新アドレス（０１０２）、（０１０３）、・・・、（０１０６）が割り振られ、設定装置１０のアドレッシング情報記憶部２４における新旧アドレス対応表データ２４２及び各制御装置１２−２〜１２−６の各制御装置記憶部４４における新アドレス４４２に行列形式の新アドレス（０１０２）、（０１０３）、・・・、（０１０６）がそれぞれ格納される。
【００９１】
一方、処理Ｓ３６−Ｓにおける判断の結果、設定装置制御部２１は、当該分岐伝送路２９の制御装置に対するアドレッシングが終了した旨の情報が含まれている場合（Ｙｅｓ）には、当該分岐伝送路２９に接続される制御装置１２に対するアドレッシングが終了したと判断し、次の分岐装置１１及びこの分岐装置１１の分岐伝送路２９に接続される制御装置１２に対してアドレッシングを行うべく、分岐装置１２−１にスイッチ３６−２を「閉」にさせることを指示する旨の情報を含む制御信号（次分岐装置アドレッシング信号）を主伝送路２８に送出する（Ｓ３７−Ｓ）。
【００９２】
分岐装置１１−１の分岐装置制御部３３は、この制御信号を受信すると、受信した制御信号からスイッチ３６−２を「閉」にさせることを指示する旨の情報を解釈することによって、この制御信号が次分岐装置アドレッシング信号であると判断する。そして、分岐装置１１−１の分岐装置制御部３３は、スイッチ３６−２を「閉」にする（Ｓ３８−Ｄ）。なお、主伝送路２８や分岐伝送路２９のトラフィック量を低減したり、制御信号の衝突を避けたり、更に、設定装置制御部２１の処理量を低減したりする観点から、分岐装置１１−１の分岐装置制御部３３は、スイッチ３６−１を「開」にするように構成してもよい。
【００９３】
スイッチ３６−２を「閉」にすると、分岐装置１１−１の分岐装置制御部３３は、主伝送路２８における上流と下流とを通信可能にした旨の情報を含む制御信号（主伝送路通信可能信号）を主伝送路２８に送出する（Ｓ３９−Ｄ）。
【００９４】
設定装置制御部２１は、この制御信号を受信すると、受信した制御信号が主伝送路通信可能信号であると判断し、主伝送路２８における上流と下流とが通信可能に接続され、次の分岐装置１１のアドレッシングが可能となったと判断する。
【００９５】
そして、設定装置制御部２１は、全ての分岐装置１１のアドレッシングが終了したか否かを判断する（Ｓ４０−Ｓ）。この判断は、例えば、設定装置制御部２１が、新旧アドレス対応表データ２４２における機種のフィールドを参照することによって分岐装置１１のレコード数を計数し、計数結果が施工図面データ２４１を参照して作業者が入力した分岐装置１１の台数と一致した場合であって、最下流の分岐装置１１におけるレコードに新アドレスが格納されているか否かによって行う。
【００９６】
判断の結果、分岐装置１１のアドレッシングが終了していない場合には、各分岐装置１１の並び方向に従って行番号データ２４４の値又は列番号データ２４５の値の何れか一方を１つインクリメントすると共に他方を「０」に初期化した後に、処理を処理Ｓ１３−Ｓに戻す（Ｓ４１−Ｓ）。即ち、各分岐装置１１の並び方向が同一列番号方向である場合には、行番号データ２４４を１つインクリメントすると共に列番号データ２４５を「０」に初期化する。また、各分岐装置１１の並び方向が同一行番号方向である場合には、列番号データ２４５を１つインクリメントすると共に行番号データ２４４を「０」に初期化する。
【００９７】
このように動作することによって、処理Ｓ１３−Ｓ乃至処理Ｓ２２−Ｄが実行され、次の分岐装置１１−２に行列形式の新アドレス（０２００）が割り振られ、そして、設定装置１０のアドレッシング情報記憶部２４における新旧アドレス対応表データ２４２及び分岐装置１１−２の分岐装置記憶部３４における新アドレス３４２に行列形式の新アドレス（０２００）が格納される。さらに、処理Ｓ２３−Ｓ乃至処理Ｓ３６−Ｓが実行され、分岐装置１１−２の分岐伝送路２９−２に接続する各制御装置１２−７〜１２−１２に行列形式の新アドレス（０２０１）、（０２０２）、・・・、（０２０６）が割り振られ、設定装置１０のアドレッシング情報記憶部２４における新旧アドレス対応表データ２４２及び各制御装置１２−７〜１２−１２の各制御装置記憶部４４における新アドレス４４２に行列形式の新アドレス（０２０１）、（０２０２）、・・・、（０２０６）がそれぞれ格納される。
【００９８】
一方、判断の結果、分岐装置１１のアドレッシングが終了している場合には、設定装置制御部２１は、全ての分岐装置１１並びに制御装置１２のアドレッシングが終了しているか否かを判断する（Ｓ４２−Ｓ）。この判断は、例えば、設定装置制御部２１が、新旧アドレス対応表データ２４２の全てのレコードに新アドレスが格納されているか否かによって行う。また例えば、制御装置１２からの上下流通信可能信号に制御装置アドレッシング終了情報が含まれているか否かによって行う。制御装置アドレッシング終了情報の有無によって判断すると、施工ミス等で施工図面データ２４１の内容と実際の施工との不一致を見つけることができる。
【００９９】
判断の結果、全ての分岐装置１１及び制御装置１２のアドレッシングが終了していない場合には、各分岐装置１１の並び方向に従って行番号データ２４４の値又は列番号データ２４５の値の何れか一方を１つインクリメントすると共に他方を「１」に初期化した後に、処理を処理Ｓ２４−Ｓに戻す（Ｓ４３−Ｓ）。即ち、各分岐装置１１の並び方向が同一列番号方向である場合には、行番号データ２４４を１つインクリメントすると共に列番号データ２４５を「１」に初期化する。また、各分岐装置１１の並び方向が同一行番号方向である場合には、列番号データ２４５を１つインクリメントすると共に行番号データ２４４を「１」に初期化する。これによって最下流の分岐装置１２−３の主伝送路２８に接続されている各制御装置１２−１９〜１２−２４に対しアドレッシングが行われる。
【０１００】
一方、判断の結果、全ての分岐装置１１及び制御装置１２のアドレッシングが終了している場合には、設定装置制御部２１は、アドレッシングが完了した旨の情報を含む制御信号（アドレッシング完了信号）を主伝送路２８に送出する（Ｓ４４−Ｓ）。
【０１０１】
アドレッシング完了信号を受信した分岐装置１１の分岐装置制御部３３は、アドレッシング完了信号を受信した旨の情報を含む制御信号（アドレッシング完了了承信号）を主伝送路２８に送出する（Ｓ４５−Ｄ）。特に、トラフィック量の考慮等によってスイッチ３６−１を「開」にしている場合には、スイッチ３６−１を「閉」にすると共に、分岐装置制御部３３がアドレッシング完了信号を再生して信号変換部３２及びＩ／Ｆ３１を介して主伝送路２８に送出する。そして、分岐装置１１は、分岐装置本来の通常動作に移行する（Ｓ４６−Ｄ）。
【０１０２】
アドレッシング完了信号を受信した制御装置１２の制御装置制御部４３は、アドレッシング完了信号を受信した旨の情報を含む制御信号（アドレッシング完了了承信号）を分岐伝送路２９に送出する（Ｓ４５−Ｃ）。そして、制御装置１２は、制御装置本来の通常動作に移行する（Ｓ４６−Ｃ）。
【０１０３】
各分岐装置１１並びに制御装置１２からアドレッシング完了了承信号を受信すると、設定装置１０は、設定装置本来の通常動作に移行する（Ｓ４６−Ｓ）。
【０１０４】
ここで、各分岐装置１１並びに制御装置１２からのアドレッシング完了了承信号が衝突することを避ける観点から、行列形式の新アドレスを用いて、新アドレス順にタイミングを測ってもよい。なお、新アドレス順とは、例えば、行番号ごとに順に、列番号ごとに順に等様々な順が考えられる。
【０１０５】
なお、上述の設定装置１０、分岐装置１１及び制御装置１２の間における通信において、初期化信号、アドレッシング信号、旧アドレス信号、後述の新アドレス信号、新アドレス格納信号等の各制御信号を上述のように受信の順番によって識別しても良いが、各制御信号を識別するために、制御信号の種別を示す情報を各制御信号に含めるようにしてもよい。
【０１０６】
このように動作することによって、機器制御システムの各分岐装置１１並びに制御装置１２に行列形式の新アドレスが割り振られ、各分岐装置１１並びに制御装置１２の記憶部３４、４４における新アドレス３４２、４４２に行列形式の新アドレスがそれぞれ格納される。そして、設定装置１０のアドレッシング情報記憶部２４における新旧アドレス対応表データ２４２にも図１０（ｂ）に示すように各分岐装置１１並びに制御装置１２の旧アドレス、機種及び新アドレスがそれぞれ格納される。
【０１０７】
そして、行列形式の新アドレスは、上述のように自動的に各分岐装置１１並びに制御装置１２に割り振られるので、施工時にマニュアル設定する必要がない。また、各分岐装置１１並びに制御装置１２に行列形式の新アドレスが割り振られるので、各分岐装置１１並びに制御装置１２間の相互位置関係を従来のように施工図面を参照することなく、新アドレスを参照するだけで判断することができる。例えば、行番号が同じ分岐装置１１並びに制御装置１２は、略行方向に並んで配置されており、列番号が同じ分岐装置１１並びに制御装置１２は、略列方向に並んで配置されており、行番号と列番号とが同一の各分岐装置１１並びに制御装置１２は、略対角方向に並んで配置されている。即ち、行列の数学的な性質を利用することができる。このため、機器制御システムのソフトウェア設計者や機器制御システムの利用者等は、行列の数学的な性質を考慮して容易にソフトウェア設計や機器制御システムの利用を図ることができる。
【０１０８】
また、本実施形態では、分岐装置１１並びに制御装置１２に対するアドレッシングの成否を設定装置１０の表示部２３に表示するとともに、制御対象の機器（照明器具１３）の動作状態を変化させて報知するので、作業者が設定装置１０を用いて複数の分岐装置１１並びに制御装置１２にアドレスを設定する際、アドレスが設定されたか否かを容易に確認することができる。
【０１０９】
次に、このような行列形式のアドレスが備える行列の数学的な性質を利用したグルーピングについて説明する。グルーピングとは、分岐装置１１や制御装置１２のグループを形成することであり、グループを形成した分岐装置１１並びに制御装置１２は、一つの纏まりとして扱われ、同一の属性が与えられる。例えば、或るグループに所属する制御装置１２は、同一のスケジュールに従って同一の制御パターンで動作したり、形成したグループに新たな識別子が与えられたりする。このように分岐装置１１並びに制御装置１２をグルーピングすることによって、ソフトウェア中で分岐装置１１並びに制御装置１２を個々に扱う必要が無く、一括で扱うことができる。
【０１１０】
例えば、図１（ａ）のように制御装置１２が４行６列に並んでおり、これらを４台を１つのグループに形成する場合には、アドレスが行列形式であるので、新アドレスが（０１０１）、（０１０２）、（０２０１）及び（０２０２）の各制御装置１２を第１グループとし、新アドレスが（０１０３）、（０１０４）、（０２０３）及び（０２０４）の各制御装置１２を第２グループとし、新アドレスが（０１０５）、（０１０６）、（０２０５）及び（０２０６）の各制御装置１２を第３グループとし、新アドレスが（０３０１）、（０３０２）、（０４０１）及び（０４０２）の各制御装置１２を第４グループとし、新アドレスが（０３０３）、（０３０４）、（０４０３）及び（０４０４）の各制御装置１２を第５グループとし、そして、新アドレスが（０３０５）、（０３０６）、（０４０５）及び（０４０６）の各制御装置１２を第６グループとして直ちに割り振ることができる。
【０１１１】
そして、制御装置１２とグループとの対応関係を制御装置グループデータ２４７に格納しておくことにより、例えば、設定装置制御部２１は、ソフトウェア中でグループが指定されると、制御装置グループデータ２４７を参照することにより、この指定されたグループに所属する各制御装置１２を同一のスケジュールに従って同一の制御パターンで動作させることができる。
【０１１２】
ところで、オフィスビルでは、組織変更等によりフロアのパーティション（区画）を変更する場合がある。このような場合に、パーティションの変更に合わせて、照明器具のグループや空調設備のグループを変更する必要が生じる。設定装置１０は、グルーピング装置として、このような場合に新しいグループ編成を次のようにして決定することができ、設定装置制御部２１が行列形式アドレスに基づいて複数の制御装置を１つのグループに纏めるグルーピング手段として動作する。
【０１１３】
図１１は、グルーピングの動作を示すフローチャートである。図１２は、第１のグルーピング方法を説明するための図である。図１３は、第２のグルーピング方法における第１方法を説明するための図である。
【０１１４】
図１１乃至図１３において、設定装置制御部２１は、入力部２２よりグループ編成を行う旨の指示が入力されると、図１２及び図１３に示すグループ編成用の画面表示を表示部２３に表示する（Ｓ１０１）。このグループ編成用の画面表示は、施工図面１と各分岐装置１１並びに制御装置１２の新アドレスと設定装置１０及び各分岐装置１１並びに制御装置１２の接続状態とから構成される。そして、新アドレスは、対応する各分岐装置１１並びに制御装置１２に付随するように表示される。このグループ編成用の画面表示は、例えば、設定装置制御部２１が、アドレッシング情報記憶部２４の施工図面データ２４１から施工図面を読み出すと共に、新旧アドレス対応表データ２４２を参照することによって、新アドレスが格納されているメモリアドレスから各分岐装置１１並びに制御装置１２と新アドレスの対応とを把握して、対応する各分岐装置１１並びに制御装置１２に付随するように新アドレスを表示する。
【０１１５】
そして、機器制御システムの利用者は、グルーピング方法を入力部２２から入力する。設定装置制御部２１は、入力されたグルーピング方法を判断する（Ｓ１０２）。本実施形態では、グルーピング方法は、第１のグルーピング又は第２グルーピング方法を選択することができる。設定装置制御部２１は、第１のグルーピング方法が入力された場合には、処理Ｓ１１１を実行し、第２のグルーピング方法が入力された場合には、処理Ｓ１２１を実行する。
【０１１６】
第１のグルーピング方法は、同一グループに所属する分岐装置１１並びに制御装置１２の範囲をこの範囲に所属する対角上に位置する２台の制御装置１２を指定することによって決定する方法である。
【０１１７】
図１２において、まず、機器制御システムの利用者は、対角上に位置する２台の制御装置１２（これら２台の制御装置１２が第１の制御装置及び第２の制御装置に相当する）を入力部２２から入力することによって、同一グループに所属させたい制御装置１２の範囲を設定する。この２台の制御装置１２の指定は、例えば、カーソルをマウスによって制御装置１２上に移動させ、クリックすることによって行ったり、ライトペンによって制御装置１２の表示画面上をタッチすることによって行う。図１２に示す場合では、新アドレス（０２０３）及び新アドレス（０４０５）の制御装置１２−９、１２−２３が第１の制御装置及び第２の制御装置として入力された場合を示している。
【０１１８】
設定装置制御部２１は、入力部２２から入力された制御装置１２の新アドレス（α１、β１）、（α２、β２）を認識する（Ｓ１１１）。この新アドレスを持つ制御装置１２を対角成分とする行列Ａが同一グループに所属する制御装置１２の新アドレスとなるので、設定装置制御部２１は、この行列Ａの各成分を（α１、β１）及び（α２、β２）に基づいて行成分をα１（下限値）からα２（上限値）まで変化させ列成分をβ１（下限値）からβ２（上限値）まで変化させることによってそれぞれ計算する（Ｓ１１２）。例えば、上述の例で新アドレス（０２０３）及び新アドレス（０４０５）を対角成分とする場合では、設定装置制御部２１は、行成分を０２から０４まで変化させ、列成分を０３から０５まで変化させることによって、行列Ａ（この場合では３行３列の行列）の各行列成分（０２０３）、（０２０４）、（０２０５）、（０３０３）、（０３０４）、（０３０５）、（０４０３）、（０４０４）及び（０４０５）を得る。
【０１１９】
一方、第２のグルーピング方法は、同一グループに所属する制御装置１２の範囲をこの範囲に所属する１台の制御装置１２の位置及び距離を指定し、この指定された制御装置１２の位置を基準に指定された距離にだけ離れた範囲内とする方法である。この第２のグルーピング方法は、基準位置の取り方によって様々な方法がある。例えば、基準位置をグループの範囲における中心位置と考え、この基準位置の上下左右方向に指定された距離だけ離れた範囲をグループの範囲とする第１方法や、基準位置をグループの範囲における一頂点と考え、この基準位置から２方向に指定された距離だけ離れた範囲をグループの範囲とする第２方法等がある。第２方法は、更に、基準位置がどの頂点であるか、距離を２方向独立に指定することができるか、２方向共に同一であるかによって様々な方法がある。例えば、基準位置を左上の頂点とし距離を右方向及び下方向共に同一とする方法や基準位置を右下の頂点とし距離を左方向と上方向とに台別とする方法等がある。そこで、これら各方法を表示部２３に表示させ、作業者に選択させるとよい。
【０１２０】
利用者は、第２のグルーピング方法のうち更に上述の方法のうち何れの方法を取るかを入力する。設定装置制御部２１は、入力部２２から入力された方法を判断する（Ｓ１２１）。ここでは、上述の各方法のうち第１方法を選択した場合について以下に説明する。
【０１２１】
図１３において、まず、利用者は、基準位置となる分岐装置１１又は制御装置１２及び距離を入力部２２から入力することによって、同一グループに所属させたい分岐装置１１並びに制御装置１２の範囲を設定する。図１３に示す場合では、新アドレス（０３０４）の制御装置１２−１６及び（距離の値）＝１が入力された場合を示している。
【０１２２】
設定装置制御部２１は、入力部２２から入力された制御装置１２の新アドレス（α３、β３）及び距離を認識する（Ｓ１２２）。この新アドレスを持つ制御装置１２を行列の中心成分とし中心成分に距離の値だけ加減された値を行列成分とする行列Ｂが同一グループに所属する制御装置１２の新アドレスとなるので、設定装置制御部２１は、この行列Ｂの各成分を（α３、β３）及び距離の値に基づいて行成分を（α３−（距離の値））から（α３＋（距離の値））まで変化させ列成分を（β３−（距離の値））から（β３＋（距離の値））まで変化させることによってそれぞれ計算する（Ｓ１２３）。例えば、上述の例で新アドレス（０３０４）及び（距離の値）＝１とする場合では、設定装置制御部２１は、行成分を０３−１＝０２から０３＋１＝０４まで変化させ、列成分を０４−１＝０３から０４＋１＝０５まで変化させることによって、行列Ｂの各行列成分（０２０３）、（０２０４）、（０２０５）、（０３０３）、（０３０４）、（０３０５）、（０４０３）、（０４０４）及び（０４０５）を得る。
【０１２３】
次に、設定装置制御部２１は、算出した新アドレスに基づいて、同一グループに所属する各制御装置１２の表示を変化させる（Ｓ１３１）。例えば、図１２や図１３に示すように、同一グループに所属する各分岐装置１１並びに制御装置１２を、一点鎖線の平行四辺形の領域で囲んだり、表示色を変えたり、明滅させたりする。
【０１２４】
そして、利用者は、このような表示を参照することによって、同一グループに所属する各制御装置１２を確認し、確定を入力部２２から入力する。設定装置制御部２１は、確定が入力部２２から入力されると、グループ化された制御装置１２の機種によって、分岐装置グループデータ２４６又は制御装置グループデータ２４７に新グループに所属する各分岐装置１１並びに制御装置１２に関する情報を格納する（Ｓ１３２）。
【０１２５】
このようにして機器制御システムの利用者は、同一グループに所属する各分岐装置１１並びに制御装置１２に関する情報を全て入力することなく、簡単な少数のデータ入力によって新グループ編成を行うことができる。そして、新アドレスが行列形式で設定されているので、設定装置１０は、上述のように少ない入力データから同一グループに所属する各分岐装置１１並びに制御装置１２を簡単に迅速に求めることができ、新グループ編成を行うことができる。また、新アドレスが行列形式で設定されているので、ソフトウェア開発者は、上述のように少ない入力データから同一グループに所属する各分岐装置１１並びに制御装置１２を簡単に迅速に求めるプログラムを容易に作成することができ、デバッグも容易に行うことができる。
【０１２６】
次に、本実施形態の機器制御システムの通常動作の一例を説明する。ここで、本実施形態では、各制御装置１２に更に人感センサをそれぞれ備え、人感センサが人体を検出した場合に制御装置１２が制御する機器１３を第１のレベルで運転し、当該制御装置１２に対し周囲の制御装置１２がそれぞれ制御する機器１３を第２のレベルで運転し、そして、これ以外の制御装置１２が制御する機器１３を第３のレベルで運転するようにしている。なお、人感センサは、例えば、赤外線を検知すると共に検知した赤外線の移動を検出することによって人の存否を識別する赤外線の人感センサや、画像から人の有無を識別する画像識別による人感センサ等を利用することができる。
【０１２７】
そして、例えば、第１のレベルを機器１３の最大出力に設定し、第２のレベルを機器１３の最大出力に移行するための予備出力レベルに設定し、第３のレベルを機器１３のゼロ出力に設定すると、機器制御システムは、機器１３によって、人が居るエリアでは快適な環境を提供し、人が居るエリアの周囲エリアでは快適な環境を迅速に提供等する環境を提供し、人が居るエリアから離れたエリアでは無駄なエネルギーを消費しない環境を提供することができる。
【０１２８】
より具体的には、機器１３が照明器具の場合では、第１のレベルをフル点灯（調光率１００％）に設定し、第２のレベルをほの明るい点灯レベル（例えば、調光率５０％点灯や調光率３０％点灯等）に設定し、第３のレベルを消灯（調光率０％）に設定する。このように設定することにより、人が居るエリアでは、充分な明るさを確保し、人が居るエリアの周囲エリアでは、人が移動することによって人が居るようになった時に迅速にフル点灯することができると共に人に安心感を与え、人が居るエリアから離れたエリアでは無駄な照明を防止することができる。また例えば、機器１３が空調設備の場合では、第１のレベルを強送風に設定し、第２のレベルを弱送風に設定し、第３のレベルを送風無しに設定する。このように設定することにより、人が居るエリアでは、充分な設定温度を確保し、人が居るエリアの周囲エリアでは、人が移動することによって人が居るようになった時に迅速に強送風することができると共に人が居るエリアとの温度差が緩和されるため人にやさしい環境を与え、人が居るエリアから離れたエリアでは無駄な運転を防止することができる。
【０１２９】
そして、このような通常動作を行うために、制御装置１２は、図４に破線で示すように、検出出力を制御装置制御部４３に出力する人感センサ４８と、一定時間の経過を制御装置制御部４３に出力するタイマ４９と、他の制御装置１２からの指示により第２のレベルで運転すべきか否かの情報を格納する第２レベル運転フラグデータ４４３とを具備している。
【０１３０】
なお、制御装置１２−１〜１２−２４に行列形式のアドレスがそれぞれ割り振られた後は、例えば、分岐装置１１の代わりに２本の伝送線を単に接続したり、制御装置１２−６と制御装置１２−１２とを伝送路で接続し制御装置１２−７と制御装置１２−１３とを伝送路で接続し制御装置１２−１８と制御装置１２−２４とを伝送路で接続したりすることによって制御装置１２−１〜１２−２４が互いに通信可能に伝送路によって接続されていれば、分岐装置１１−１〜１１−３が無くても、通常動作を行うことができる。
【０１３１】
図１４は、機器制御システムの通常動作例の動作を示すフローチャートである。図１５は、機器制御システムの通常動作例を説明するための図である。
【０１３２】
図１４及び図１５において、制御装置１２の制御装置制御部４３は、人感センサ４８から検出出力の有無を判断する（Ｓ１５１）。
【０１３３】
判断の結果、検出出力がある場合（Ｙｅｓ）には、制御装置制御部４３は、機器制御部４７に自己が管理する機器１３を第１のレベルで運転する制御データを生成して機器制御部４７に出力し、機器制御部４７は、機器１３に第１のレベルで運転するように制御信号を出力する（Ｓ１５２）。さらに、制御装置制御部４３は、制御装置記憶部４４の新アドレスデータ４４２から自己の新アドレスを読み出し、自己の新アドレスの情報及び第２のレベルで機器１３を制御する旨の情報を含む制御信号（第２レベル運転信号）を信号変換部４２及びＩ／Ｆ４１を介して、ブロードキャストする。そして、処理を処理Ｓ１５１に戻す（Ｓ１５３）。
【０１３４】
一方、判断の結果、検出出力が無い場合（Ｎｏ）には、制御装置制御部４３は、制御装置記憶部４４の第２レベル運転フラグデータ４４３に第２のレベルで運転する情報が格納されているか否かを判断する（Ｓ１５４）。判断の結果、第２のレベルで運転する情報が格納されている場合には、制御装置制御部４３は、機器制御部４７に自己が管理する機器１３を第２のレベルで運転する制御データを生成して機器制御部４７に出力し、機器制御部４７は、機器１３に第２のレベルで運転するように制御信号を出力する。そして、処理Ｓ１５７を実行する（Ｓ１５５）。一方、判断の結果、第２のレベルで運転する情報が格納されていない場合には、制御装置制御部４３は、機器制御部４７に自己が管理する機器１３を第３のレベルで運転する制御データを生成して機器制御部４７に出力し、機器制御部４７は、機器１３に第３のレベルで運転するように制御信号を出力する。そして、処理Ｓ１５７を実行する（Ｓ１５６）。
【０１３５】
処理Ｓ１５７において、制御装置制御部４３は、Ｉ／Ｆ４１及び信号変換部４２を介して、第２レベル運転信号を受信したか否かを判断する。
【０１３６】
判断の結果、第２レベル運転信号を受信していない場合（Ｎｏ）には、制御装置制御部４３は、処理を処理Ｓ１５１に戻す。
【０１３７】
一方、判断の結果、第２レベル運転信号を受信している場合（Ｙｅｓ）には、制御装置制御部４３は、第２レベル運転信号に収容されている新アドレス（α４、β４）と自己の新アドレスデータ４４２に格納されている新アドレス（α５、β５）とを比較することによって、第２レベル運転信号が自己に対し周囲の制御装置１２から発信された制御信号であるか否かを判断する（Ｓ１５８）。この判断は、新アドレスが行列形式であることを利用して式１を満たすか否かによって判断され、式１を満たす場合には自己に対し周囲の制御装置１２から発信された制御信号であると判断する。
−１≦α５−α４≦＋１かつ−１≦β５−β４≦＋１ ・・・ （１）
判断の結果、第２レベル運転信号が自己に対し周囲の制御装置１２から発信された制御信号である場合（Ｙｅｓ）には、第２レベル運転フラグデータ４４３に第２のレベルで運転する情報を格納すると共にタイマ４９をリセットする。そして、処理Ｓ１５１を実行する（Ｓ１５９）。一方、第２レベル運転信号が自己に対し周囲の制御装置１２から発信された制御信号でない場合（Ｎｏ）には、第２レベル運転信号を廃棄する。そして、処理Ｓ１５１を実行する（Ｓ１６０）。
【０１３８】
一方、制御装置制御部４３は、タイマ４９の出力があった場合に割り込み処理により、第２レベル運転フラグデータ４４３をクリアする。これによって、自己が制御する機器１３を第２の運転レベルで制御した場合に、最後の第２レベル運転信号を受信してから所定時間経過後に第３の運転レベルに機器１３を切り替えることができる。
【０１３９】
このように動作することによって、例えば、図１５において、エリアＥ−９に人が居る場合には、制御装置１２−９の制御装置制御部４３−９は、処理Ｓ１５１（Ｙｅｓ）、処理Ｓ１５２及び処理Ｓ１５３と動作することによって、機機１３−９を第１のレベルで運転すると共に、新アドレス（０２０３）を含む第２レベル運転信号をブロードキャストする。そして、各制御装置１２−１〜１２−２４の制御装置制御部４３−１〜４３−２４は、処理Ｓ１５１、処理Ｓ１５４、処理Ｓ１５６、処理Ｓ１５７及び処理Ｓ１５８を実行する。そして、制御装置１２−２、１２−３、１２−４、１２−８、１２−１０、１２−１４、１２−１５及び１２−１６は、周囲の制御装置から発信された第２レベル運転信号であると判断し、処理Ｓ１５９、処理Ｓ１６１、処理Ｓ１５１、処理１５４及び処理１５５を実行し、機機１３−２、１３−３、１３−４、１３−８、１３−１０、１３−１４、１３−１５及び１３−１６を第２のレベルでそれぞれ運転する。一方、制御装置１２−１、１２−５〜１２−７、１２−１１〜１２−１３及び１２−１７〜１２−２４は、周囲の制御装置から発信された第２レベル運転信号ではないと判断し、処理Ｓ１６０、処理Ｓ１６１、（処理Ｓ１６２）、処理Ｓ１５１、処理Ｓ１５４及び処理Ｓ１５６を実行し、機器１３−１、１３−５〜１３−７、１３−１１〜１３−１３及び１３−１７〜１２−２４を第３のレベルで運転する。
【０１４０】
そして、割り込み処理により、第２レベル運転信号を受信してからタイマ４９に設定された所定の時間が経過すると、第２レベル運転フラグデータ４４３がクリアされ、機器１３は、第３のレベルに運転される。
【０１４１】
このように動作することにより、機器制御システムは、人感センサが人体を検出した場合に制御装置１２が制御する機器１３を第１のレベルで運転し、当該制御装置１２に対し周囲の制御装置１２がそれぞれ制御する機器１３を第２のレベルで運転し、そして、これ以外の制御装置１２が制御する機器１３を第３のレベルで運転する。そして、各制御装置１２が行列形式のアドレスを備えるので、行列の数学的な性質を利用することにより、人感センサに反応があった制御装置１２は、自己の周囲の制御装置１２における行列形式アドレスを簡単に・迅速に算出することができる。
【０１４２】
なお、上述の実施形態では、第２レベル運転信号に自己の新アドレス（α６、β６）を収容してブロードキャストしたが、第２レベル運転信号を発信する制御装置制御部４３が、行成分を（α６−１）から（α６＋１）まで変化させ列成分を（β６−１）から（β６＋１））まで変化させることによって、周囲の制御装置４３の各新アドレスを演算し、第２レベル運転信号をマルチキャストするように構成してもよい。このように構成することにより、主伝送路２８及び分岐伝送路２９のトラフィックを減少させることができ、他の制御装置制御部４３が処理Ｓ１５８及び処理Ｓ１６０を行う必要がなくなるので、負荷を軽減することができる。
【０１４３】
また、上述の実施形態において、制御装置制御部４３は、処理Ｓ１５７、処理Ｓ１５８、処理Ｓ１５９及び処理Ｓ１６０を割り込みによって処理するように構成してもよく、そして、処理Ｓ１６１及び処理Ｓ１６２を割り込みによって処理するように構成してもよい。
【０１４４】
さらに、上述の実施形態において、制御信号の波形劣化を再生する機能を分岐装置１１や制御装置１２にさらに備えるように構成してもよい。このような機能を付加することにより、伝送距離を延長することができ、信号の誤りを抑制することができる。
【０１４５】
ところで、オフィスビル等の建物では、一般的に管理室（防災センター）などに設定装置１０が設置されるので、作業者が設置装置１０を操作しつつ照明器具１３の動作状態変化によるアドレッシングの成否を確認することは困難である。そこで、通信機能付きのノートパソコンや携帯電話機あるいは通信機能付きのＰＤＡなどの携帯通信端末との通信機能を設定装置１０に搭載し、作業者が携帯する携帯通信端末から制御信号を送信し、当該制御信号を受信した設定装置１０が上述したアドレッシング処理を実行するように構成すれば、一人の作業者が携帯通信端末を利用して設定装置１０を遠隔操作しながら、同時に照明器具１３の動作状態変化によるアドレッシングの成否を確認することが可能となる。なお、設定装置１０から携帯通信端末へアドレッシングの成否に関する情報を送信し、携帯通信端末が具備する表示デバイスに当該情報を表示することもできる。
【図面の簡単な説明】
【０１４６】
【図１】本実施形態のシステム構成を示す図である。
【図２】同上における設定装置の構成を示すブロック図である。
【図３】同上における分岐装置の構成を示すブロック図である。
【図４】同上における制御装置の構成を示すブロック図である。
【図５】同上の他の構成を示す図である。
【図６】アドレッシングの動作を示すフローチャートである。
【図７】アドレッシングの動作を示すフローチャートである。
【図８】アドレッシングの動作を示すフローチャートである。
【図９】アドレッシングの動作を示すフローチャートである。
【図１０】アドレッシング情報記憶部における新旧アドレス対応表データを示す図である。
【図１１】グルーピングの動作を示すフローチャートである。
【図１２】第１のグルーピング方法を説明するための図である。
【図１３】第２のグルーピング方法における第１方法を説明するための図である。
【図１４】同上の通常動作例の動作を示すフローチャートである。
【図１５】同上の通常動作例を説明するための図である。
【符号の説明】
【０１４７】
１０  設定装置
１１  分岐装置
１２  制御装置
１３  機器（照明器具）
２１  設定装置制御部
２８  主伝送路
２９  分岐伝送路
４３  制御装置制御部
４４  機器制御部
【図１】
2009033466.tif 000003
【図２】
2009033466.tif 000004
【図３】
2009033466.tif 000005
【図４】
2009033466.tif 000006
【図５】
2009033466.tif 000007
【図６】
2009033466.tif 000008
【図７】
2009033466.tif 000009
【図８】
2009033466.tif 000010
【図９】
2009033466.tif 000011
【図１０】
2009033466.tif 000012
【図１１】
2009033466.tif 000013
【図１２】
2009033466.tif 000014
【図１３】
2009033466.tif 000015
【図１４】
2009033466.tif 000016
【図１５】
2009033466.tif 000017